【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
拡大を行う対象であるズーム対象画像を表示する画像表示部と、指の接触位置を時間経過に応じて逐次出力するタッチパネルと、当該指により該タッチパネルに与えられた押圧力を検出する押圧力検出部とを備えたユーザインタフェース装置であって、
当該指の接触位置が当該ズーム対象画像の表示位置範囲と重畳したか否かを判定する接触位置判定手段と、
前記押圧力が所定閾値以上であるか否かを判定する押圧力判定手段と、
前記接触位置判定手段が真の判定を行い、かつ前記押圧力判定手段が真の判定を行った際、当該ズーム対象画像を拡大させるズーム動作制御手段と
を有することを特徴とするユーザインタフェース装置。
【請求項２】
前記接触位置判定手段が真の判定を行い、かつ前記押圧力判定手段が真の判定を行った際、前記押圧力の大きさに応じて、当該ズーム対象画像を拡大する際の拡大速度を決定するズーム速度決定手段を更に有しており、
前記ズーム動作制御手段は、当該ズーム対象画像を、決定された前記拡大速度で拡大させる
ことを特徴とする請求項１に記載のユーザインタフェース装置。
【請求項３】
前記接触位置判定手段が真の判定を行い、かつ前記押圧力判定手段が真の判定を行った際、前記押圧力の大きさに応じて、当該ズーム対象画像の拡大率を決定する拡大率決定手段を更に有しており、
前記ズーム動作制御手段は、当該ズーム対象画像を、決定された拡大率にまで拡大させる
ことを特徴とする請求項１に記載のユーザインタフェース装置。
【請求項４】
前記ズーム動作制御手段は、当該ズーム対象画像を、当該指の接触位置を基点にして拡大させることを特徴とする請求項１から３のいずれか1項に記載のユーザインタフェース装置。
【請求項５】
前記ズーム動作制御手段は、当該ズーム対象画像を拡大させる際、前記画像表示部の画面内に、当該ズーム対象画像を縮小するための縮小オブジェクトを表示させ、
前記接触位置判定手段は、当該指の接触位置が前記縮小オブジェクトの表示位置範囲と重畳したか否かを判定し、
前記接触位置判定手段が前記縮小オブジェクトに係る真の判定を行い、かつ前記押圧力判定手段が真の判定を行った際、前記ズーム動作制御手段は、当該ズーム対象画像を、拡大時の基点を基点として縮小させる
ことを特徴とする請求項１から４のいずれか１項に記載のユーザインタフェース装置。
【請求項６】
前記接触位置判定手段が当該ズーム対象画像に係る真の判定を行い、かつ前記押圧力判定手段が真の判定を行った際、前記押圧力の大きさに応じて、当該ズーム対象画像を拡大する際の拡大速度を決定するズーム速度決定手段を更に有しており、
前記接触位置判定手段が前記縮小オブジェクトに係る真の判定を行い、かつ前記押圧力判定手段が真の判定を行った際、前記ズーム速度決定手段は、前記押圧力の大きさに応じて、当該ズーム対象画像を縮小する際の縮小速度を決定し、
前記ズーム動作制御手段は、当該ズーム対象画像を、決定された前記縮小速度で縮小させる
ことを特徴とする請求項５に記載のユーザインタフェース装置。
【請求項７】
前記接触位置判定手段が当該ズーム対象画像に係る真の判定を行い、かつ前記押圧力判定手段が真の判定を行った際、前記押圧力の大きさに応じて、当該ズーム対象画像の拡大率を決定する拡大率決定手段を更に有しており、
前記接触位置判定手段が前記縮小オブジェクトに係る真の判定を行い、かつ前記押圧力判定手段が真の判定を行った際、前記拡大率決定手段は、前記押圧力の大きさに応じて、当該ズーム対象画像の拡大率を決定し、
前記ズーム動作制御手段は、当該ズーム対象画像を、決定された拡大率にまで縮小させる
ことを特徴とする請求項５に記載のユーザインタフェース装置。
【請求項８】
前記ズーム動作制御手段は、当該ズーム対象画像を拡大させた後、当該指が前記タッチパネルから離隔した際に、当該ズーム対象画像を拡大前の状態に戻させることを特徴とする請求項１から４のいずれか１項に記載のユーザインタフェース装置。
【請求項９】
ユーザの操作から見て、前記ユーザインタフェース装置を保持した片手の指で、当該ズーム対象画像を押し込んだ場合、ズーム動作制御手段は、当該ズーム対象画像を、当該指の接触位置を基点にして拡大させることを特徴とする請求項１から８のいずれか１項に記載のユーザインタフェース装置。
【請求項１０】
拡大を行う対象であるズーム対象画像を表示する画像表示部と、指の接触位置を時間経過に応じて逐次出力するタッチパネルと、当該指により該タッチパネルに与えられた押圧力を検出する押圧力検出部とを備えたユーザインタフェース装置に搭載されたプログラムであって、
当該指の接触位置が当該ズーム対象画像の表示位置範囲と重畳したか否かを判定する接触位置判定手段と、
前記押圧力が所定閾値以上であるか否かを判定する押圧力判定手段と、
前記接触位置判定手段が真の判定を行い、かつ前記押圧力判定手段が真の判定を行った際、当該ズーム対象画像を拡大させるズーム動作制御手段と
してコンピュータを機能させることを特徴とするユーザインタフェース装置用のプログラム。
【請求項１１】
拡大を行う対象であるズーム対象画像を表示する画像表示部と、指の接触位置を時間経過に応じて逐次出力するタッチパネルと、当該指により該タッチパネルに与えられた押圧力を検出する押圧力検出部とを備えたユーザインタフェース装置における画像のズーム方法であって、
当該指の接触位置が当該ズーム対象画像の表示位置範囲と重畳したか否かを判定する第１のステップと、
前記押圧力が所定閾値以上であるか否かを判定する第２のステップと、
第１のステップで真の判定がなされ、かつ第２のステップで真の判定がなされた際、当該ズーム対象画像を拡大させる第３のステップと
を有することを特徴とする画像ズーム方法。
【手続補正２】
【補正対象書類名】明細書
【補正対象項目名】００１４
【補正方法】変更
【補正の内容】
【００１４】
本発明によれば、拡大を行う対象であるズーム対象画像を表示する画像表示部と、指の接触位置を時間経過に応じて逐次出力するタッチパネルと、当該指により該タッチパネルに与えられた押圧力を検出する押圧力検出部とを備えたユーザインタフェース装置であって、
当該指の接触位置が当該ズーム対象画像の表示位置範囲と重畳したか否かを判定する接触位置判定手段と、
押圧力が所定閾値以上であるか否かを判定する押圧力判定手段と、
接触位置判定手段が真の判定を行い、かつ押圧力判定手段が真の判定を行った際、当該ズーム対象画像を拡大させるズーム動作制御手段と
を有するユーザインタフェース装置が提供される。
【手続補正３】
【補正対象書類名】明細書
【補正対象項目名】００１８
【補正方法】変更
【補正の内容】
【００１８】
さらに、本発明のユーザインタフェース装置における他の実施形態として、ズーム動作制御手段は、当該ズーム対象画像を拡大させる際、画像表示部の画面内に、当該ズーム対象画像を縮小するための縮小オブジェクトを表示させ、
接触位置判定手段は、当該指の接触位置が縮小オブジェクトの表示位置範囲と重畳したか否かを判定し、
接触位置判定手段が縮小オブジェクトに係る真の判定を行い、かつ押圧力判定手段が真の判定を行った際、ズーム動作制御手段は、当該ズーム対象画像を、拡大時の基点を基点として縮小させることも好ましい。
【手続補正４】
【補正対象書類名】明細書
【補正対象項目名】００２３
【補正方法】変更
【補正の内容】
【００２３】
本発明によれば、さらに、拡大を行う対象であるズーム対象画像を表示する画像表示部と、指の接触位置を時間経過に応じて逐次出力するタッチパネルと、当該指により該タッチパネルに与えられた押圧力を検出する押圧力検出部とを備えたユーザインタフェース装置に搭載されたプログラムであって、
当該指の接触位置が当該ズーム対象画像の表示位置範囲と重畳したか否かを判定する接触位置判定手段と、
押圧力が所定閾値以上であるか否かを判定する押圧力判定手段と、
接触位置判定手段が真の判定を行い、かつ押圧力判定手段が真の判定を行った際、当該ズーム対象画像を拡大させるズーム動作制御手段と
してコンピュータを機能させるユーザインタフェース装置用のプログラムが提供される。
【手続補正５】
【補正対象書類名】明細書
【補正対象項目名】００２４
【補正方法】変更
【補正の内容】
【００２４】
本発明によれば、さらにまた、拡大を行う対象であるズーム対象画像を表示する画像表示部と、指の接触位置を時間経過に応じて逐次出力するタッチパネルと、当該指により該タッチパネルに与えられた押圧力を検出する押圧力検出部とを備えたユーザインタフェース装置における画像のズーム方法であって、
当該指の接触位置が当該ズーム対象画像の表示位置範囲と重畳したか否かを判定する第１のステップと、
押圧力が所定閾値以上であるか否かを判定する第２のステップと、
第１のステップで真の判定がなされ、かつ第２のステップで真の判定がなされた際、当該ズーム対象画像を拡大させる第３のステップと
を有する画像ズーム方法が提供される。